(57)【要約】【課題】パソコン等の機器を用いて編集した編集用データが、頁出力を行うに当たって、文字の色化け、画像の抜けが自動的に検知される頁組版データ変換システムおよび頁組版データ変換チェックシステムおよびそれらのプログラムを提供するすることを目的とする。【解決手段】頁組版を編集用データから原版用データに変換する頁組版データ変換システムにおいて、変換前の書体が変換後に該当する書体が存在する場合には該当する書体に変換し、該当しない場合にはその旨を表示し、変換前の画像呼出情報が変換後に正当に呼び出しうる画像呼出情報である場合には該当する画像呼出情報に変換し、該当しない場合にはその旨を表示する事を特徴とする頁組版データ変換システムを提供する。【選択図】図１
2004206557.tif 000002
【特許請求の範囲】
【請求項１】
組版を編集用データから原版用データに変換する組版データ変換システムにおいて、変換前の書体が変換後に該当する書体が存在する場合には該当する書体に変換し、該当しない場合にはその旨を表示し、変換前の画像呼出情報が変換後に正当に呼び出しうる画像呼出情報である場合には該当する画像呼出情報に変換し、該当しない場合にはその旨を表示する事を特徴とする組版データ変換システム。
【請求項２】
請求項１記載の組版データ変換システムにおいて、変換前の色指定が変換後に該当する色指定が存在する場合には該当する色指定に変換し、該当しない場合にはその旨を表示することを特徴とする組版データ変換システム。
【請求項３】
組版を編集用データから原版用データに変換する組版データ変換システムにおいて、変換前の書体が変換後に該当する書体が存在しない場合にはその旨を表示し、変換前の画像呼出情報が変換後に正当に呼び出しうる画像呼出情報でない場合にはその旨を表示する事を特徴とする組版データ変換チェックシステム。
【請求項４】
請求項３記載の組版データ変換チェックシステムにおいて、変換前の色指定が変換後に該当する色指定が存在しない場合にはその旨を表示することを特徴とする組版データ変換チェックシステム。
【請求項５】
組版を編集用データから原版用データに変換する組版データ変換プログラムにおいて、変換前の書体が変換後に該当する書体が存在する場合には該当する書体に変換し、該当しない場合にはその旨を表示し、変換前の画像呼出情報が変換後に正当に呼び出しうる画像呼出情報である場合には該当する画像呼出情報に変換し、該当しない場合にはその旨を表示する事を特徴とする組版データ変換プログラム。
【請求項６】
請求項５記載の組版データ変換プログラムにおいて、変換前の色指定が変換後に該当する色指定が存在する場合には該当する色指定に変換し、該当しない場合にはその旨を表示することを特徴とする組版データ変換プログラム。
【請求項７】
組版を編集用データから原版用データに変換する組版データ変換プログラムにおいて、変換前の書体が変換後に該当する書体が存在しない場合にはその旨を表示し、変換前の画像呼出情報が変換後に正当に呼び出しうる画像呼出情報でない場合にはその旨を表示する事を特徴とする組版データ変換チェックプログラム。
【請求項８】
請求項７記載の組版データ変換チェックプログラムにおいて、変換前の色指定が変換後に該当する色指定が存在しない場合にはその旨を表示することを特徴とする組版データ変換チェックプログラム。
【発明の詳細な説明】
【０００１】
【発明の属する技術分野】
本発明は組版を編集用データから原版用データに変換するときに用いられる組版データ変換システムおよび組版データ変換チェックシステムおよびそれらのプログラムに関する。
【０００２】
【従来の技術】
従来の組版は、それを編集したパソコン等の機器を用いて出力を行っていた。
【０００３】
この様な校正においては、特許文献１の様な色校正技術が知られていた。
【０００４】
しかし、この場合の書体が出力機に合致しない場合があった。この場合、文字の色が変形し、原版用データとしては使えないものであった。
【０００５】
このとき、修正はその部分を変更するものであり、その部分の変更だけでは修正によりさらにデータに予想外の変化が現れるばあいがあった。従って、一カ所だけの変更でも、全面の校正が必要になっていた。
【０００６】
また、画像呼出情報においては、その画像呼出情報が不完全であれば、呼出を行う事ができず、その部分の画像は原版用データとして出力した場合に画像が抜け落ちてしまい、原版用データとしては使えないものであった。
【０００７】
【特許文献１】
特開２０００−２４６８７４号公報
【０００８】
【発明が解決しようとする課題】
以上の様に、パソコン等の機器を用いて編集した編集用データが、出力を行うに当たって、文字の色化け、画像の抜けが自動的に検知される組版データ変換システムおよび組版データ変換チェックシステムおよびそれらのプログラムを提供することを目的とする。
【０００９】
【課題を解決するための手段】
上述の目的を達成するため、本願出願に係る請求項１記載の発明では、組版を編集用データから原版用データに変換する組版データ変換システムにおいて、変換前の書体が変換後に該当する書体が存在する場合には該当する書体に変換し、該当しない場合にはその旨を表示し、変換前の画像呼出情報が変換後に正当に呼び出しうる画像呼出情報である場合には該当する画像呼出情報に変換し、該当しない場合にはその旨を表示する事を特徴とする組版データ変換システムを提供するものである。
【００１０】
これにより、パソコン等の機器を用いて編集した編集用データが、出力を行うに当たって、文字の色化け、画像の抜けが自動的に検知される組版データ変換システムとすることが可能になったものである。
【００１１】
本願出願に係る請求項２記載の発明では請求項１記載の組版データ変換システムにおいて、変換前の色指定が変換後に該当する色指定が存在する場合には該当する色指定に変換し、該当しない場合にはその旨を表示することを特徴とする組版データ変換システムを提供するものである。
【００１２】
これにより、パソコン等の機器を用いて編集した編集用データが、出力を行うに当たって、文字の色化け、画像の抜けの他、不適当な配色支持の有無を含めて自動的に検知される組版データ変換システムとすることが可能になったものである。
【００１３】
本願出願に係る請求項３記載の発明では、組版を編集用データから原版用データに変換する組版データ変換システムにおいて、変換前の書体が変換後に該当する書体が存在しない場合にはその旨を表示し、変換前の画像呼出情報が変換後に正当に呼び出しうる画像呼出情報でない場合にはその旨を表示する事を特徴とする組版データ変換チェックシステムを提供するものである。
【００１４】
これにより、パソコン等の機器を用いて編集した編集用データが、編集用データから直接出力を行うに当たって、文字の色化け、画像の抜けが変換前に自動的に検知される組版データ変換チェックシステムとすることが可能になったものである。
【００１５】
本願出願に係る請求項４記載の発明では、請求項３記載の組版データ変換チェックシステムにおいて、変換前の色指定が変換後に該当する色指定が存在しない場合にはその旨を表示することを特徴とする組版データ変換チェックシステムを提供するものである。
【００１６】
これにより、パソコン等の機器を用いて編集した編集用データが、出力を行うに当たって、文字の色化け、画像の抜けの他、不適当な配色支持の有無を含めて自動的に検知される組版データ変換システムとすることが可能になったものである。
【００１７】
本願出願に係る請求項５記載の発明では、組版を編集用データから原版用データに変換する組版データ変換プログラムにおいて、変換前の書体が変換後に該当する書体が存在する場合には該当する書体に変換し、該当しない場合にはその旨を表示し、変換前の画像呼出情報が変換後に正当に呼び出しうる画像呼出情報である場合には該当する画像呼出情報に変換し、該当しない場合にはその旨を表示する事を特徴とする組版データ変換プログラムを提供するものである。
【００１８】
これにより、パソコン等の機器を用いて編集した編集用データが、出力を行うに当たって、文字の色化け、画像の抜けが変換前や、直接出力される場合に字事前に自動的に検知される組版データ変換プログラムの提供が可能になったものである。
【００１９】
本願出願に係る請求項６記載の発明では、請求項５記載の組版データ変換プログラムにおいて、変換前の色指定が変換後に該当する色指定が存在する場合には該当する色指定に変換し、該当しない場合にはその旨を表示することを特徴とする組版データ変換プログラムを提供するものである。
【００２０】
これにより、パソコン等の機器を用いて編集した編集用データが、出力を行うに当たって、文字の色化け、画像の抜けの他、不適当な配色支持の有無を含めて、変換前や、直接出力される場合に字事前に自動的に検知される組版データ変換プログラムの提供が可能になったものである。
【００２１】
本願出願に係る請求項７記載の発明では組版を編集用データから原版用データに変換する組版データ変換プログラムにおいて、変換前の書体が変換後に該当する書体が存在しない場合にはその旨を表示し、変換前の画像呼出情報が変換後に正当に呼び出しうる画像呼出情報でない場合にはその旨を表示する事を特徴とする組版データ変換チェックプログラムを提供するものである。
【００２２】
これにより、パソコン等の機器を用いて編集した編集用データが、編集用データから直接出力を行うに当たって、文字の色化け、画像の抜けが変換前に自動的に検知される組版データ変換チェックプログラムを提供することが可能になったものである。
【００２３】
本願出願に係る請求項８記載の発明では、請求項７記載の組版データ変換チェックプログラムにおいて、変換前の色指定が変換後に該当する色指定が存在しない場合にはその旨を表示することを特徴とする組版データ変換チェックプログラムを提供するものである。
【００２４】
これにより、パソコン等の機器を用いて編集した編集用データが、出力を行うに当たって、文字の色化け、画像の抜けの他、不適当な配色支持の有無を含めて自動的に検知される組版データ変換チェックプログラムを提供することが可能になったものである。
【００２５】
【発明の実施の形態】
以下、本発明の組版データ変換システムおよび組版データ変換チェックシステムおよびそれらのプログラムについての実施の形態に説明する。
【００２６】
本願発明は、本願出願に係る請求項１記載の発明では、組版を編集用データから原版用データに変換する組版データ変換システムにおいて、変換前の書体が変換後に該当する書体が存在する場合には該当する書体に変換し、該当しない場合にはその旨を表示し、変換前の画像呼出情報が変換後に正当に呼び出しうる画像呼出情報である場合には該当する画像呼出情報に変換し、該当しない場合にはその旨を表示する事を特徴とする組版データ変換システムおよび組版データ変換チェックシステムおよびそれらのプログラムに係る発明である。
【００２７】
この場合において、組版とは、多数の頁からなるものの一つの頁を指すものの他、一枚物の、例えばチラシの様なものでも構わないものである。
【００２８】
また、原版用データは、そのまま原版に用いることができるデータのでも構わないが、一般には画像データをベクトルデータからラスターデータに変換するいわゆるＲＩＰ処理等の後工程がさらに必要なデータである事が一般的である。
【００２９】
この様にＲＩＰ処理等の後工程がされたデータはフィルム出力し、原版作成のときの露光パターンとしてＰＳ版の作成に使用されるものでも良いが、直接ＰＳ版に作成するダイレクト刷版に用いられるものでも構わない。
【００３０】
このとき、本発明によればフィルムによる確認が必要でなくなり、従来のフィルム出力機による配色誤差が２％未満程度あったが、それを考慮必要なくダイレクト刷版にする事が容易となる。
【００３１】
また、手集版の場合は網点再現性の関係上１０％刻みで配色指示を行うのがせいぜいであったが、本発明によれば直接ＤＴＰ上でそのまま検査できるのでＤＴＰ化を進めることができる様になり、５％刻みでの配色指示としても、ＤＴＰそのままで集版から刷版まですすめる事も可能となり、色精度も向上するという副次的効果も期待できる。
【００３２】
さらに、書体は、いわゆるフォントを意味するのが一般的である。
【００３３】
また、画像呼出情報とは、一般的にリンクにより実現されるが、他の呼出により実現するものであっても、ファイルの内部呼出を行うものであっても、それはデータ取り扱いのソフトウエアに依存するものであるので、適宜定まってしまうものである。また、画像が正当に呼び出しうるとは、変換後に画像ぬけが生じないことの他、使用に耐えられない程の画像劣化、例えば色変化が生じる様な場合を含めるものである。
【００３４】
なお、画像劣化に関しては、ＤＴＰソフトの性能上、網点指示が５％より細かく行えないものが多いので、その程度の網点率の変化は画像劣化とみなさないのが現状であるが、ソフトウエアの性能向上に従い、適宜画像劣化の範囲が変動することは容易に予測できる。
【００３５】
【実施例】
（実施例１）
本発明の組版を、ＰＳ版（Ｐｒｅｓｅｎｓｉｔｉｚｅｄ  Ｐｌａｔｅ、感光性平版印刷版）用の組版に適用した一実施例について図面を参考にして詳細に説明する。
【００３６】
図１は本発明における、システムの動作環境概念図である。
【００３７】
本発明は、イントラネット（ＮＥＴ）上で連結している端末１０１、１０２、１０３・・・・のうち、何れかが変換専用端末となり、他の端末は編集端末となっている。
【００３８】
説明の都合上、以降１０１を変換専用端末とし、他を編集端末として話を進めるものとする。
【００３９】
各組版は、各編集端末１０２・・・・にて頁毎に編集され、その結果はイントラネット１１０を介して変換専用端末１０３に送付される。
【００４０】
各端末の内部構成は、図２に示す様になっており、変換専用端末はバスライン３０１を介してＩ／Ｏ３０２、ＣＰＵ３０３、メモリ３０４、キーボード３０５、ディスプレイ３０６、プリンタＩ／Ｏ３０７が連結されている。
【００４１】
また、プリンタＩ／Ｏ３０７を介してプリンタ３０８が接続されており、他方Ｉ／Ｏ３０２を介してイントラネット３１１と接続されている。
【００４２】
イントラネット３１１は、他の編集用端末とＩ／Ｏ３２２をを介して接続されており、その編集用端末は、バスライン３２１を介してＩ／Ｏ３２２の他、ＣＰＵ３２３、メモリ３２４が接続されている。
【００４３】
また、この様な編集用端末は、ファイルを中心に概念説明すれば、図３で示す様な構成となっており、外部からＩ／Ｏ２０２を通じて、ＣＰＵ２０１は、メモリが仮想的に多数のファイル２０３〜２１１に記憶され、適宜操作される。
【００４４】
ファイルは、メインファイル２０３、ＯＫファイル２０４、ＥＲＲＯＲファイル２０５、ＰＳ＆ＬＹＴファイル２０６、ＬＯＧファイル２０７、ＰＤＦファイル２０８、スクリプトファイル２０９、フォントファイル２１０、画像ファイル２１１から構成されている。
【００４５】
スクリプトファイル２０８には、組版データ変換プログラムが格納されている。
【００４６】
他方、組版データに使用されるフォントはフォントファイル２１０、同じく使用される画像は、画像ファイル２１１に納められている。
【００４７】
他の編集端末から組版データがＩ／Ｏ２０２を通じて、メインファイル２０３に転送され、スクリプトファイル２０８内のスクリプトが起動すると、メインファイル２０３内の組版データが変換動作を始める。
【００４８】
ＯＫファイル２０４は、この処理の結果、変換が完了した組版データが収納されるファイルであり、ＥＲＲＯＲファイル２０５は逆に変換が途中で中止された組版データが収納されるファイルである。
【００４９】
他方、変換後の組版データはＰＳ＆ＬＹＴファイル２０６に、その使用画像のリストおよび使用フォントとともに収納されるファイルである。
【００５０】
また、組版データ変換プログラムのＬＯＧは、ＬＯＧファイル２０７に納められている。
【００５１】
さらに、組版データはＰＤＦ化もされ、その結果のＰＤＦファイルは、このＰＤＦファイル２０８に、エラーログ、作成に用いた組版データとともに納められる。
【００５２】
個々の組版データは、図４に示すようなファイル構造をしており、大きくヘッダ部４０１とボディ部４０２とからなる。
【００５３】
さらに、そのボディ部４０２は、画像ボックス部４１０、４１１やオブジェクト記述４３０等からなっている。
【００５４】
その画像ボックス部４１０、４２０は各々ヘッダ部４１１、４２１とボディ部４１２、４２２とからなっている。
【００５５】
実際の動作は図５に示されるフローチャートに従って動作する。
【００５６】
まず、組版データ変換チェックプログラムが始まる５０１と、最初に入出力ファイルを操作できる様に、入出力ファイル環境を変数に設定５０２する。
【００５７】
次に、ＬＯＧファイル２０７の内容である処理ログファイルを開く５０３、もし開かない場合は、エラーメッセージを表示５０４して処理を終了する。
【００５８】
他方、処理ログファイルを開く５０３事ができた場合は、フォントファイル２１０の使用可能フォントを開く５０５、もしファイルが開けない場合には、エラーメッセージをＬＯＧファイル２０７に出力５０６し、変換処理を終了５１４し、プログラムの動作を終了する５１５。
【００５９】
また、フォントファイル２１０の使用可能フォント５０５を開いた場合には、使用可能フォント名をセットする。複数使用可能である場合が殆どであるので、その全てをセットする。
【００６０】
つぎに、組版データは正常か５０８のチェックを行う。これは、主に拡張子が正しいかを中心にチェックを行う。この結果、正常でないと判断された場合には、エラーメッセージをＬＯＧファイル２０７に出力５０９し、変換処理を終了５１４し、プログラムの動作を終了する５１５。
【００６１】
また、組版データは正常５０８である場合には、組版データより１行ずつ読み込む５１０。読み込みの結果、入力文字列が空文字ではなかった場合には、入力文字列が使用可能フォントに含まれているか否かを判定５１２し、判定が正しければ、組版データより次の１行を読み込む５１０。
【００６２】
もし、含まれていないならば、エラーメッセージをＬＯＧファイル２０７に出力５１３し、組版データより次の１行を読み込む５１０。
【００６３】
他方、読み込みの結果入力文字列が空文字ではなかった場合には、変換処理を終了５１４し、プログラムの動作を終了する５１５。
【００６４】
この様な結果、編集用データの組版７１０は、データ変換した場合には原版用組版７２０となるわけであるが、文章７１１が変換されることにより文章内の書体が変換後に対応するものではないことにより文章７２１の一部が色化け文字７２４となることが、実際に編集用データの組版７１０を原版用組版７２０に変換する前にチェックできる様になったものである。
【００６５】
同様に、編集用データの組版７５０は、データ変換した場合には原版用組版７６０となるわけであるが、画像７５２が変換されることにより対応関係の不備が現実化し、変換後に対応するものではないことにより画像７５２の一部７５３が画像抜け７６３となることが、実際に編集用データの組版７５０を原版用組版７６０に変換する前にチェックできる様になったものである。
【００６６】
また、編集用データの組版７３０は、データ変換した場合には原版用組版７４０となるわけであるが、例え文章７３１や画像７３２、７３３が正確に文章７４１や画像７４２、７４３へと変換される場合であっても、少しでも修正したものであればどこに対応関係の不備が発生しているものかが不明であるので、そのたびの検版は欠かせないものであった。
【００６７】
（実施例２）
実際の動作は図６に示されるフローチャートに従って動作する。以下説明するもの以外の構成は、実施例１と同様である。
【００６８】
まず、組版データ変換プログラムが始まる５２１と、最初に入出力ファイルを操作できる様に、入出力ファイル環境を変数に設定５２２する。
【００６９】
次に、ＬＯＧファイル２０７の内容である処理ログファイルを開く５２３、もし開かない場合は、エラーメッセージを表示５２４して処理を終了する。
【００７０】
他方、ＬＯＧファイル２０７を開く５２３事ができた場合は、スクリプトファイル２０９内のＰＳ（組版データ）タグファイルを開く５２５、もしファイルが開けない場合には、エラーメッセージをＬＯＧファイル２０７に出力し、変換処理を終了する５２６。
【００７１】
他方、ＰＳ（組版データ）タグファイルを開く５２５ことができた場合には、ＰＳタグをセットし５２７、処理対象がＰＳファイルかの判断５２８を行う。
【００７２】
その判断の結果、ＰＳファイルではないと判断された場合には、エラーメッセージをＬＯＧファイル２０７に出力し、変換処理を終了する５２９。
【００７３】
他方、ＰＳファイルと判断された場合には、ＰＳファイルを１行ずつチェックする５３０。これはサブルーチンを呼び出す事により行い。具体的には図７に示すプログラムにより行う。
【００７４】
その結果、色指定のチェックが完了したか判断５３１され、もしファイルが開けない場合には、エラーメッセージをＬＯＧファイル２０７に出力し、変換処理を終了する５３２。
【００７５】
次に、ＥＰＳ（ＰＳフファイル中の画像ファイル、以下同じ）の記述の有無をチェックする５３３。これはサブルーチンを呼び出す事により行い。具体的には図８に示すプログラムにより行う。
【００７６】
その結果、ＥＰＳの記述に過不足が無かったか判断５３４され、もし過不足があった場合には、エラーメッセージをＬＯＧファイル２０７に出力し、変換処理を終了する５３５。
【００７７】
その結果、ＥＰＳの記述に過不足があった場合には、変換処理を終了５１４し、プログラムの動作を終了する５１５。
【００７８】
ＰＳファイルを１行ずつチェックするサブルーチンは、具体的には図７に示すプログラムにより行う。
【００７９】
呼び出された場合に処理が開始５４１し、まず、入力ファイルのファイルポインタを先頭に移動する５４２。
【００８０】
次に、入力ファイルより１行読み込む５４３。
【００８１】
さらに、入力文字列が空文字か否かが判断５４４され、もし空文字であれば処理結果に応じてＬＯＧファイル２０７に出力し、サブルーチンを終了する５３５。
【００８２】
次に、入力文字列がＥＰＳファイルであるか否かが判断５４７される。もし、ＥＰＳファイルである場合にはＥＰＳファイル名をセットし５４８、そうではない場合にはそのまま次の処理に進む。
【００８３】
さらに、その入力文字列がボディ部であるか否かが判断５４９される。その判断の結果、ボディ部でなければさらにヘッダ終了タグであるか否かが判断５５０され、終了タグの場合はボディ部判別フラグをＯＮにして５５１、そうでない場合はそのまま入力ファイルより次に１行読み込む５４３処理に戻る。
【００８４】
また、ボディ部であれば、その入力文字列がヘッダ部であるか否かが判断５５２される。もし、ヘッダ部であればさらにボディ開始タグであるか否かが判断５５３される。このとき、ボディ開始タグの場合はヘッダ部判別フラグをＯＮにして５５４、そうでない場合はそのまま入力ファイルより次に１行読み込む５４３処理に戻る。
【００８５】
また、ヘッダ部でなければ、その入力文字列がＥＰＳ部であるか否かが判断５５５され、ＥＰＳ部でなければさらにＥＰＳ部開始タグであるか否かが判断５５６される。もし、ＥＰＳ部開始タグの場合はＥＰＳ部判別フラグをＯＮにし５５７、そうでない場合は、色指定内容チェックサブルーチンを呼び出し、色指定内容チェック５５８を行った後、入力ファイルより次に１行読み込む５４３処理に戻る。
【００８６】
また、ＥＰＳ部ならば、その入力文字列がＥＰＳヘッダ部であるか否かが判断５５９される。他方、ＥＰＳヘッダ部でならばさらにＥＰＳ部終了タグであるか否かが判断５６０され、ＥＰＳ部終了タグの場合はＥＰＳ部判別フラグをＯＦＦにして５６１、そうでない場合はそのまま入力ファイルより次に１行読み込む５４３処理に戻る。
【００８７】
また、ＥＰＳ部でなければ、その入力文字列がＥＰＳグラデ部であるか否かが判断５６２され、ＥＰＳグラデ部でなければさらにＥＰＳグラデ部開始タグ、もしくはＥＰＳ部終了タグであるか、その何れでもないかが判断５６３される。
【００８８】
このとき、ＥＰＳグラデ部開始タグの場合は、ＥＰＳグラデ部判別フラグをＯＮにして５６４、ＥＰＳ部終了タグの場合はＥＰＳ部判別フラグをＯＦＦにして５６５、そのいずれでもない場合は色指定内容チェックサブルーチン５６６（５８８と同じサブルーチン）を起動させた後、入力ファイルより次に１行読み込む５４３処理に戻る。
【００８９】
最後に、ＥＰＳグラデ部であれば、その入力文字列がＥＰＳグラデ部終了タグであるか否かが判断５６７され、ＥＰＳグラデ部終了タグならばＥＰＳグラデ部判別フラグをＯＦＦにして５６８、そのまま入力ファイルより次に１行読み込む５４３処理に戻る。
【００９０】
他方、ＥＰＳの記述の有無をチェックするサブルーチンは、図８に示した様に、サブルーチンが開始される５８１と、画像確認用テキストファイルが開けるか否かが判断５８２される。
【００９１】
ここでもし画像確認用テキストファイルが開けない場合には、エラーメッセージをＬＯＧファイル２０７に出力し、メインルーチンに戻る５９１とともに、サブルーチンは終了する５９２。
【００９２】
対して、画像確認用テキストファイルが開ける場合は、ファイルより１行読み込む５８４処理に入る。ここで入力文字列が空文字であるか否かが判断５８６され、もし空文字でない場合にはＥＰＳファイルをセット５８６し、ファイルより次の１行読み込む５８４処理に入る。
【００９３】
他方、もし空文字である場合には、上記配列を逆順にし５８７、逆順にした上記配列とセットしたＰＳファイル内のＥＰＳファイル名の配列を比較５８８する。もし、比較結果に差分があるなら、差分内容をＬＯＧファイル２０７に格納し、差分がないならそのままメインルーチンに戻る５９１とともに、サブルーチンは終了する５９２。
【００９４】
（実施例３）
実際の動作は図９に示されるフローチャートに従って動作する。以下説明するもの以外の構成は、実施例１と同様である。
【００９５】
まず、組版データチェックプログラムが始まる６０１と、最初に入出力ファイルを操作できる様に、入出力ファイル環境を変数に設定６０２する。
【００９６】
次に、ＬＯＧファイル２０７の内容である処理ログファイルを開く６０３、もし開かない場合は、エラーメッセージを表示６０４して処理を終了する。
【００９７】
他方、ＬＯＧファイルを開く５２３事ができた場合は、ＰＳタグ一覧ファイルを開く６０７、もしファイルが開けない場合には、エラーメッセージをＬＯＧファイル２０７に出力し、変換処理を終了する６０６。
【００９８】
他方、ＰＳタグ一覧ファイルを開く６０５ことができた場合には、ＰＳタグをセットし６０７、処理対象がドラッグ＆ドロップされたファイル数だけ処理したかの判断６０８を行う。
【００９９】
その判断の結果、処理対象がドラッグ＆ドロップされたファイル数だけ処理していない場合には、ＰＳファイルをサブルーチンを呼び出す事により１ファイルずつチェックを行い。具体的には図１０に示すプログラムにより行う。
【０１００】
他方、処理対象がドラッグ＆ドロップされたファイル数だけ処理された場合には、その処理を終わる６１０。
【０１０１】
ＰＳファイルを１ファイルずつチェックするサブルーチンは、具体的には図１０に示すプログラムにより行う。
【０１０２】
呼び出された場合に処理が開始６２１し、まず、ＰＳファイルを開く５４２。もし、ＰＳファイルが開けないのであればエラーメッセージをＬＯＧファイル２０７に出力し、サブルーチンを終了する６２３。
【０１０３】
他方、ＰＳファイルが開けたのであれば、ＰＳファイルを１行ずつチェック６２４し、チェック結果に応じてＰＳファイルを各フォルダに移動する。
【０１０４】
この場合、処理に問題がない場合はＯＫファイル２０４に、処理が出来たが問題が発生した場合にはＯＫファイル２０４中のＷＡＲＮＩＮＮＧファイルに、処理が出来なかった場合にはＥＲＲＯＲファイル２０５に納められる。
【０１０５】
最後に、サブルーチンを終わる６２６。
【０１０６】
ＰＳファイルを１行ずつチェックするサブルーチンは、具体的には図１１に示すプログラムにより行う。
【０１０７】
呼び出された場合に処理が開始６４１し、まず、入力ファイルのファイルポインタを先頭に移動する６４２。
【０１０８】
次に、入力ファイルより１行読み込む６４３。
【０１０９】
さらに、入力文字列が空文字か否かが判断６４４される。もし、空文字であれば処理結果に応じてＬＯＧファイル２０７に出力し６４５、サブルーチンを終了する６４６。
【０１１０】
次に入力文字列がＥＰＳファイルであるか否かが判断６４７される。もし、ＥＰＳファイルである場合にはＥＰＳファイル名をセットし６４８、そうではない湯合にはそのまま次の処理に進む。
【０１１１】
さらに、その入力文字列がボディ部であるか否かが判断６４９され、ボディ部でなければさらにヘッダ終了タグであるか否かが判断６５０される。もし、終了タグの場合はボディ部判別フラグをＯＮにして６５１、そうでない場合はそのまま入力ファイルより次に１行読み込む６４３処理に戻る。
【０１１２】
また、ボディ部であれば、その入力文字列がヘッダ部であるか否かが判断６５２される。他方、ヘッダ部であればさらにボディ開始タグであるか否かが判断６５３される。その結果、ボディ開始タグの場合はヘッダ部判別フラグをＯＮにして６５４、そうでない場合はそのまま入力ファイルより次の１行を読み込む６４３処理に戻る。
【０１１３】
また、ヘッダ部でなければ、その入力文字列がＥＰＳ部であるか否かが判断６５５される。もし、ＥＰＳ部でなければさらにＥＰＳ部開始タグであるか否かが判断６５６され、ＥＰＳ部開始タグの場合はＥＰＳ部判別フラグをＯＮにして６５７、そうでない場合は、色指定内容チェックサブルーチン（５８８と同じサブルーチン）を呼び出す事により色指定内容チェック６５８を行った後、入力ファイルより次の１行を読み込む６４３処理に戻る。
【０１１４】
また、ＥＰＳ部ならば、その入力文字列がＥＰＳヘッダ部であるか否かが判断６５９され、ＥＰＳヘッダ部でならばさらにＥＰＳ部終了タグであるか否かが判断６６０され、ＥＰＳ部終了タグの場合はＥＰＳ部判別フラグをＯＦＦにして６６１、そうでない場合はそのまま入力ファイルより次に１行読み込む６４３処理に戻る。
【０１１５】
また、ＥＰＳ部でなければ、その入力文字列がＥＰＳグラデ部であるか否かが判断６６２され、ＥＰＳグラデ部でなければさらにＥＰＳグラデ部開始タグ、もしくはＥＰＳ部終了タグであるか、何れでもないかが判断６６３される。もし、ＥＰＳグラデ部開始タグの場合はＥＰＳグラデ部判別フラグをＯＮにして６６４、ＥＰＳ部終了タグの場合はＥＰＳ部判別フラグをＯＦＦにして６６５、いずれでもない場合は色指定内容チェックサブルーチン６６６（５８８と同じサブルーチン）を起動させた後、入力ファイルより次の１行を読み込む６４３処理に戻る。
【０１１６】
最後に、ＥＰＳグラデ部であれば、その入力文字列がＥＰＳグラデ部終了タグであるか否かが判断６６７され、ＥＰＳグラデ部終了タグならばＥＰＳグラデ部判別フラグをＯＦＦにして６６８、そのまま入力ファイルより次に１行読み込む６４３処理に戻る。
【０１１７】
【発明の効果】
本発明により、編集用データの組版がデータ変換した場合に、文章内の書体が変換後に対応するものではないことにより文章の一部が色化け文字や、画像の抜け落ちとなることが、実際に編集用データの組版を原版用組版に変換した後に確認、もしくは変換する前にチェックできる様になったものである。
【０１１８】
同様に、編集用データの組版少しでも修正したものであればどこに対応関係の不備が発生しているものかが不明であるので、そのたびの検版は欠かせないものであったが、その確認が可能になったので、文章の一部が色化け文字の確認や、その修正が容易になったものである。
【図面の簡単な説明】
【図１】本発明によるシステムの動作環境概念図である。
【図２】本発明による各端末のブロック図である。
【図３】本発明による変換専用端末のファイル構成図である。
【図４】本発明による組版データのデータ構造である。
【図５】本発明によるＰＳファイル検査ソフトウエアを示すフローチャートである。
【図６】本発明によるＰＳファイルの色指定検査機能を併せ持つ検査ソフトウエアを示すフローチャートである。
【図７】本発明による図６のソフトウエアのＰＳファイルを１行ずつチェックするサブルーチンを示すフローチャートである。
【図８】本発明による図６のソフトウエアのＥＰＳの記述の有無をチェックするサブルーチンを示すフローチャートである。
【図９】本発明によるＰＳファイルの配色チェック機能を併せ持つ検査ソフトウエアを示すフローチャートである。
【図１０】本発明による図９のソフトウエアのＰＳファイルを１ファイルずつチェックするサブルーチンを示すフローチャートである。
【図１１】本発明による図１０のサブルーチンのＰＳファイルを１行ずつチェックするサブルーチンを示すフローチャートである。
【図１２】本発明によるＰＳファイルの変換前と変換後を対比した組版データ平面図である。
【符号の説明】
１０１〜１０４…端末
１１０…イントラネット
２０１…ＣＰＵ
２０２…Ｉ／Ｏ
２０３〜２１１…仮想ファイル
３０１、３２１…バスライン
３０２、３２２…Ｉ／Ｏ
３０３、３２３…ＣＰＵ
３０４、３２４…メモリ
３０５…キーボード
３０６…ディスプレイ
３０７…プリンタＩ／Ｏ
３０８…プリンタ
４０１…ＰＳヘッダ部
４０２…ＰＳボディ部
４１０、４２０…ＥＰＳファイル
４１１、４２１…ＥＰＳファイルヘッダ部
４１２、４２２…ＥＰＳファイルボディ部
４１３…ＥＰＳグラデ部
４３０…オブジェクト記述部
５０１、５２１、５４１、５８１、６０１、６２１、６４１…処理開始
５０３、５０５、５０８、５１１、５１２、５２３、５２５、５２８、５３１、５３４、５４４、５４７、５４９、５５０、５５２、５５３、５５５、５５６、５５９、５６０、５６２、５６３、５６７、５８２、５８５、５８９、６０３、６０５、６０８、６２２、６４４、６４７、６４９、６５０、６５２、６５３、６５５、６５６、６５９、６６０、６６２、６６３、６６７…判断
５０２、５０６、５０７、５０９、５１０、５１３、５１４、５１５、５２２、５２４、５２６、５２７、５２９、５３０、５３２、５３３、５３５、５３６、５３７、５４２、５４３、５４５、５４６、５４８、５５１、５５４、５５７、５５８、５６１、５６４、５６５、５６６、５６８、５８３、５８４、５８６、５８７、５８８、５９０、５９１、５９２、６０２、６０４、６０６、６０７、６０９、６１０、６２３、６２４、６２５、６２６、６４２、６４３、６４５、６４６、６４８、６５１、６５４、６５７、６５８、６６１、６６４、６６５、６６６、６６８、…処理
７１０、７３０、７５０…編集用組版
７２０、７４０、７６０…原版用組版
７１１、７２１、７３１、７４１、７５１、７６１…文章
７１２、７１３、７２２、７２３、７３２、７３３、７４２、７４３、７５２、７５３、７６２…画像
７２４…色化け文字
７６３…画像の抜け落ち
【図１】
2004206557.tif 000003
【図２】
2004206557.tif 000004
【図３】
2004206557.tif 000005
【図４】
2004206557.tif 000006
【図５】
2004206557.tif 000007
【図６】
2004206557.tif 000008
【図７】
2004206557.tif 000009
【図８】
2004206557.tif 000010
【図９】
2004206557.tif 000011
【図１０】
2004206557.tif 000012
【図１１】
2004206557.tif 000013
【図１２】
2004206557.tif 000014